(57)【要約】【課題】利装置を大型化させることなく、使用される記録媒体の開口部を外界に露出させ、他の開口部はできるだけ遮蔽するようにできる記録媒体読み書き装置及びそれを備えた画像形成装置を提供する。【解決手段】利用者が使用する記録メディアを選択する。ＣＰＵ４１は、記録メディアのスロットが入力端子部５１の中心より上か否かを確認する。シャッタは入力端子部５１の中心より上にあれば、シャッタ制御手段６５が、シャッタ駆動部６３を制御してシャッタ７０を下方向に回動させて上半分を露出させる。入力端子部５１の中心より下にあれば、シャッタ制御手段６５が、シャッタ駆動部６３を制御してシャッタ７０を上方向に回動させて下半分を露出させる。【選択図】図８
2013186924.tif 000002
【特許請求の範囲】
【請求項１】
記録媒体を受け入れる開口部を記録媒体の種類に応じて複数備えた記録媒体読み書き装置であって、
前記開口部を外界と遮蔽する単一のシャッタと、
前記シャッタを駆動する駆動部と、
前記駆動部を制御する制御部と、
を有し、
前記制御部は、使用する記録媒体の開口部を外界に露出させ、他の開口部はできるだけ遮蔽する位置に前記シャッタを移動させることを特徴とする記録媒体読み書き装置。
【請求項２】
前記駆動部は、前記シャッタを、前記開口部の全数遮蔽状態から、全数露出状態への移動方向とは反対の方向にも移動可能なことを特徴とする請求項１に記載の記録媒体読み書き装置。
【請求項３】
前記制御部は、前記開口部の配置エリアを、前記シャッタの移動方向に２分割し、使用する記録媒体の前記開口部のエリアが外界に露出し、他のエリアが遮蔽されるように前記シャッタを移動させることを特徴とする請求項１又は２に記載の記録媒体読み書き装置。
【請求項４】
前記制御部は、前記シャッタを移動する際、移動方向と逆方向に所定距離移動させることを特徴とする請求項１から３のいずれか一項に記載の記録媒体読み書き装置。
【請求項５】
前記制御部は、前記シャッタを移動する際、所定時間移動した後に一時停止するよう制御することを特徴とする請求項１から４のいずれか一項に記載の記録媒体読み書き装置。
【請求項６】
請求項１から５のいずれか一項に記載の記録媒体読み書き装置を備えた画像形成装置。
【発明の詳細な説明】
【技術分野】
【０００１】
本発明は、メモリカードやＵＳＢメモリなどの記録媒体を挿入するためのスロット（開口部）をシャッタ（遮蔽部材）で開閉する構造の記録媒体読み書き装置及びそれを備えた画像形成装置に関する。
【背景技術】
【０００２】
各種記録媒体、例えばメモリカード等を読み込んでサービスを提供する種々の装置が市場投入されており、そのような装置では、カードのデータを読み書きする必要がある。この読み書きの途中に利用者が誤ってカードを抜いてしまうとカード内のデータを破壊するおそれがあるので、読み書き中はカードを抜かないようにカード着脱のためのスロット（開口部）を外部から遮蔽するような機構を備えた装置が存在する。
【０００３】
特許文献１には、複数のメディアスロットの内の特定のスロットだけシャッタを開状態制御する点は記載されている。
【先行技術文献】
【特許文献】
【０００４】
【特許文献１】特開２０１０−７６３３８号公報
【発明の概要】
【発明が解決しようとする課題】
【０００５】
しかし、特許文献１では、細かなシャッタ制御が必要なため、メディアスロットごとにシャッタを備えるため装置が大型化し、部品点数が増大し、故障も起こりやすいと考えられる。また、一枚物のシャッタで複数のメディアスロットの挿入（抜去）を防ぐことができる従来システムでは、簡単な構造でコストが掛からず、ハードの故障も少ないという長所はあるが、一つのメディアスロットを利用可能にするためにすべてのメディアスロットを開状態にしてしまうという短所があった。
【０００６】
本発明は、斯かる実情に鑑み、装置を大型化させることなく、使用される記録媒体の開口部を外界に露出させ、他の開口部はできるだけ遮蔽するようにできる記録媒体読み書き装置及びそれを備えた画像形成装置を提供することを目的とする。
【課題を解決するための手段】
【０００７】
本発明は、記録媒体を受け入れる開口部を記録媒体の種類に応じて複数備えた記録媒体読み書き装置であって、
前記開口部を外界と遮蔽する単一のシャッタと、前記シャッタを駆動する駆動部と、前記駆動部を制御する制御部と、を有し、
前記制御部は、使用する記録媒体の開口部を外界に露出させ、他の開口部はできるだけ遮蔽する位置に前記シャッタを移動させることを特徴とする。
【０００８】
また、本発明の記録媒体読み書き装置であって、前記駆動部は、前記シャッタを、前記開口部の全数遮蔽状態から、全数露出状態への移動方向とは反対の方向にも移動可能なことを特徴とする。
【０００９】
また、本発明の記録媒体読み書き装置であって、前記制御部は、前記開口部の配置エリアを、前記シャッタの移動方向に２分割し、使用する記録媒体の前記開口部のエリアが外界に露出し、他のエリアが遮蔽されるように前記シャッタを移動させることを特徴とする。
【００１０】
また、本発明の記録媒体読み書き装置であって、前記制御部は、前記シャッタを移動する際、移動方向と逆方向に所定距離移動させることを特徴とする。
【００１１】
また、本発明の記録媒体読み書き装置であって、前記制御部は、前記シャッタを移動する際に、所定時間移動した後に一時停止するよう制御することを特徴とする。
【００１２】
また、本発明は、前記記録媒体読み書き装置を備えた画像形成装置である。
【発明の効果】
【００１３】
本発明によれば、使用する記録媒体の開口部を外界に露出させ、他の開口部はできるだけ遮蔽する位置にシャッタを移動させるので、単一のシャッタを使用して装置を大型化することなく、使用する記録媒体の開口部を露出させて、他の開口部の遮蔽による制限も可能となる。
【００１４】
また、シャッタを、開口部の全数遮蔽状態から、全数露出状態への移動方向とは反対の方向にも移動可能であるので、開口部を全数露出状態にすることがなく、遮蔽状態の開口部が存在する。
【００１５】
また、開口部の配置エリアを、シャッタの移動方向に２分割して、いずれかを露出できるようにすれば、開口部のうち約半分程度は、露出状態にすることがない。
【００１６】
また、シャッタを移動する際、移動方向と逆方向に所定距離移動させるので、異物がシャッタと本体の間に異物が挟まっていた場合、取り出しやすくなる。
【００１７】
また、シャッタが移動する際、所定時間移動した後に一時停止するので、シャッタの移動を利用者に報知することができ、注意を促すことができる。
【図面の簡単な説明】
【００１８】
【図１】本発明にかかる記録媒体読み書き装置を具備した画像形成システムの全体ブロック図である。
【図２】画像形成システムの全体を示す全体外観図である。
【図３】リーダライタの外観拡大図である。
【図４】シャッタの動作説明図である。
【図５】シャッタの開閉動作構造の概略図である。
【図６】シャッタの開閉状態を示す説明図である。
【図７】拡張ユニットの制御装置を示すブロック図である。
【図８】リーダライタを示すブロック図である。
【図９】シャッタの開閉制御を示すフローチャートである。
【図１０】シャッタの他の開閉制御を示すフローチャートである。
【図１１】シャッタの更に他の開閉制御を示すフローチャートである。
【発明を実施するための形態】
【００１９】
以下、本発明の実施の形態を添付図面を参照して説明する。
【００２０】
図１は、本発明にかかる記録媒体読み書き装置を具備した画像形成システムの全体ブロック図であり、図２は、この画像形成システムの全体を示す全体外観図である。
この画像形成システム１０は、デジタル複合機であるＭＦＰ（Multifunction Peripheral）２０に拡張ユニット３０が接続されている構成である。
【００２１】
ＭＦＰ２０は、利用者の操作を受け付ける指示入力部２１、ネットワークに接続するための拡張カードであるＮＩＣ（Network Interface Card）２２、各部を制御するＭＦＰ制御部２３、ＭＦＰ内のプリンタである電子写真方式の第１の画像形成装置２４、原稿読取部２５を備える。
指示入力部２１は、利用者の操作を受け付ける、たとえば液晶タッチパネルであり、操作内容を表示して、利用者が操作表示部分に触れることにより入力を可能とする。
第１の画像形成装置２４は、ＭＦＰ２０内部の電子写真方式のプリンタであり、用紙カセット内にＢ５〜Ａ３サイズの普通紙を収容している。
【００２２】
拡張ユニット３０は、制御装置３１、主に写真を印刷するための第２の画像形成装置３２、各記録媒体を読み書きするリーダライタ（記録媒体読み書き装置）３３を備える。
第２の画像形成装置３２は昇華型プリンタであり、Ｌ版サイズの専用紙を収容している。リーダライタ３３は、ＭＭＲ（Multi Media Reader）とも呼ばれ、各種メモリカード、ＣＤ−Ｒ等の記録媒体（記録メディア）をリード・ライトすることができる。写真印刷のモードでは、メモリカード内の画像データを読み出して印刷できる。
【００２３】
図３に示すように、リーダライタ部３３は、記録メディアに対してデータの読み書きを行うための入出力端子部５１、回転メディアリードライトユニット５２を備える。
【００２４】
入出力端子部５１は、メデイアの種類に応じて、第１〜第ｎの入出力端子５１−１〜５１−ｎを備え、それぞれメディア着脱のための開口部を備える。例えば、図５に示すように、コンパクトフラッシュ（登録商標）やマイクロドライブ（登録商標）用の入出力端子５１−１、ｘＤピクチャカード（登録商標）用の入出力端子５１−２、ＳＤカード（登録商標）やｍｉｎｉＳＤカード（登録商標）用の入出力端子５１−３、赤外線（ＩｒＤＡ，ＩｒＳＳ，ＩｒＳｉｍｐｌｅ）の入出力端子５１−４、スマートメディア（登録商標）用の入出力端子５１−５、メモリスティック（登録商標）やメモリスティクＤｕｏ（登録商標）用の入出力端子５１−６、ｍｉｃｒｏＳＤカード（登録商標）用の入出力端子５１−７、ＵＳＢメモリ５１−８用の入出力端子５１−８などが考えられる。
【００２５】
回転記録媒体リードライトユニット５２は、ＣＤ（登録商標），ＤＶＤ（登録商標）、Ｂｌｕ−ｒａｙ  Ｄｉｓｃ（登録商標）などの回転記録メディアに対してデータを読み書きする。
【００２６】
図４（ａ）に示すように、入出力端子部５１のスロット（開口部）には、シャッタ（遮蔽部材）７０が回動して覆い被さり、記録メディアの挿入や抜去を防ぐ構造である。シャッタ７０は、複数のスロットを全て覆うことができるように、半透明のプラスチックなどの単一の部材で形成され、一度に外界から遮蔽できるようになっている。このため、個別にスロットを覆う必要がなく、単純な構造にできる。また、スロットを露出させる時は、シャッタを上下に動かして露出させることができる。図４の（ｂ）は、シャッタ７０を上方向に回動してスロット全て露出させた場合を示している。
【００２７】
図５に示すように、シャッタ７０の回転軸７１は、シャッタ駆動部であるステッピングモータ６３により回動される。シャッタ７０の開閉は、位置検出センサ６４ａ，６４ｂ，６４ｃにより検出される。開位置検出用のセンサ６４ａ、中間位置検出用のセンサ６４ｂ、閉位置検出用のセンサ６４ｃにより、開閉状態を検出する。
【００２８】
図６は、シャッタの開閉状態を示す説明図である。
図４では、スロット部分を全数遮蔽か全数露出しかないが、本発明は、使用しない開口部はできるだけ遮蔽するものである。
図６は、シャッタの移動方向にスロットエリアを２分割する。つまりスロットを上下２つのエリアに分け、シャッタ７０は個別にエリアを覆うことが可能である。
（ａ）はシャッタ７０が全開の場合、（ｂ）はシャッタ７０が全閉の場合、（ｃ）はシャッタ７０が上半分閉の場合、（ｄ）はシャッタ７０が下半分閉の場合を示す。（ｄ）の場合は、シャッタ７０が、（ｂ）の全数遮蔽状態から、下側に移動（全数遮蔽状態から、全数露出方向とは逆の方向）に移動している。このような動作を可能としたので、（ａ）のように、スロットを全露出状態にすることはなく、必ず遮蔽状態の開口部が存在する。
【００２９】
図７は、拡張ユニット３０の制御装置３１を示すブロック図である。
制御装置３１は、各部を制御するＣＰＵ（Central Processing Unit）４１、データなどを記憶する記憶部４２、ビデオチップからなる描画部４３、シリアル通信部４４、ＮＩＣ４５を備える。
記憶部４２は、ＲＯＭ・ＲＡＭ・ＨＤＤなどの記憶媒体からなり、拡張ユニット３１の制御に必要なプログラムや、第２の画像形成装置３２とリーダライタ３３に用いるデータを記憶したりする。
描画部４３はビデオメモリからなり、指示入力部２１の液晶に表示させる画像を生成する。
シリアル通信部４４は、指示入力部２１のタッチパネルに接続するためのもので、入力操作のデータを送受信する。
ＮＩＣ４５は、ＭＦＰ２０内のＮＩＣ２２とネットワーク接続したり、インターネットを介して外部のサーバに接続するためのものである。
制御装置３１は、第２の画像形成装置３２、リーダライタ３３も制御する。
【００３０】
図８は、リーダライタ３３を示すブロック図である。
図８に示すように、リーダライタ３３は、各記録メディアに対してリーダライタを制御するためのドライバを格納するデバイスドライバ６１、入出力端子部５１，回転メディアリードライトユニット５２から構成される。入出力端子部５１は、記録メディアに対して読み書きを行うメディアＲＷ（リードライト）部６２、シャッタ７０を駆動するシャッタ駆動部６３、シャッタ７０の位置を検出するシャッタ位置検出センサ６４、シャッタ制御手段６５とから構成される。
【００３１】
また、回転メディアリードライトユニット５２は、回転メディア駆動部６６、回転メディアＲＷ部６７とから構成される。
回転メディア駆動部６６は、回転メディアの搭載トレイを露出・収納するトレイ駆動機構、ディスク回転機構、ピックアップ機構などからなる。回転メディアＲＷ部６７は、回転記録メディアに対してデータを読み書きする。
【００３２】
次に画像形成システムの処理動作について説明する。
この画像形成システム１０は、指示入力部２１のメニュー画面で利用者に選択されたサービス（コピーモード、写真プリントモード）に従って、コピー処理、写真プリント処理を行う。
【００３３】
ここで、コピーモードは、原稿読取部２５で読み取った原稿を、利用者の設定に従って第１の画像形成装置（ＭＦＰ内プリンタ）２４で印刷するモードである。
写真プリントモードは、メディアリーダに接続されたメデイアから読み取った写真データを、第２の画像形成装置（昇華型プリンタ）３２で印刷するモードである。
【００３４】
図９は、リーダライタ３３におけるシャッタ制御を示すフローチャートである。
ステップＳ１１にて、リーダライタ３３のメデイアシャッタシステムを起動する。すなわち、ＭＦＰ２０と拡張ユニット３０の電源を入れて起動する。利用者が指示入力部２１により使用する記録メディアを選択する。ＣＰＵ４１は、記録メディアのスロットが入力端子部５１の中心より上か否かを確認する（ステップＳ１２）。シャッタは入力端子部５１の中心より上にあれば（ステップＳ１２；Ｙｅｓ）、シャッタ制御手段６５が、シャッタ駆動部６３を制御してシャッタ７０を下方向に回動させて上半分を露出させる（ステップＳ１３）。入力端子部５１の中心より下にあれば（ステップＳ１２；Ｎｏ）、シャッタ制御手段６５が、シャッタ駆動部６３を制御してシャッタ７０を上方向に回動させて下半分を露出させる（ステップＳ１４）。
【００３５】
シャッタ制御手段６５は、シャッタ７０が、シャッタ７０がスロットに記録メディアを抜き差し可能な位置に到達したかを確認する（ステップ１５）。到達していれば、シャッタ７０を停止させる（ステップＳ１６）。ＣＰＵ４１は、記録メディアの挿入（抜去）が完了したかを確認し、完了していれば、シャッタ７０をクローズして（ステップＳ１８）、処理を終了する。
【００３６】
こうして、スロット部分を上下二つに分け、使用するスロットが属する方を露出させるようにシャッタ７０を動かすので、装置を大型化させることなく、装着される記録メデイアが属するエリアのメディアの挿入／挿抜を可能とするとともに、他のエリアのスロットを遮蔽状態にしてメディアの挿入／挿抜を制限することができる。従って、利用されないエリアはシャッタにより閉じられるので、間違ってカードの挿入／挿抜を行うこともない。
【００３７】
なお、本実施形態では、複数のスロットを上下二つのエリアに分けたが、これに限られるものではなく、上下３分割、上下４分割など複数のエリアに分割して構わない。この場合、ＣＰＵ４１は、使用しないスロットはできるだけ遮蔽状態になるようにシャッタ７０の移動位置を決め、シャッタ制御手段６５にシャッタ７０を移動させる。
【００３８】
次に、図１０により他の処理手順を示すフローチャートである。
ステップＳ１１〜Ｓ１８は、図９と同じであるから説明は省略する。
この実施例は、ステップＳ２１が異なる。ステップＳ２１では、ＣＰＵ５１が、記録メディアの挿入（抜去）が完了したかを確認し、完了していれば、シャッタを逆方向に所定量だけ回動させてから、シャッタ７０をクローズして（ステップＳ１８）、処理を終了する。
【００３９】
こうすることで、シャッタ７０と本体間に異物が挟まっている場合にも、取り出すことが可能となる。
【００４０】
次に，図１１は、さらに他の処理手順を示すフローチャートである。
ステップＳ１１〜Ｓ１８は、図９と同じであるから説明は省略する。
この実施例は、ステップＳ２１とＳ２２が異なる。シャッタ制御手段５９は、シャッタ７０が、スロットに記録メディアを抜き差し可能な位置に到達したかを確認し（ステップ１５）、到達していなければ、ステップＳ２１に進む。
【００４１】
ステップＳ３１では、Ｔ１の処理を行う。すなわち、シャッタが閉状態から所定距離（例えば５ｍｍ）移動したことを検出したら、一定時間停止する（ステップＳ３２）。
【００４２】
シャッタ７０を所定距離だけ移動したら一定時間停止することにより、利用者にシャッタ７０の移動を報知して注意を促すことができる。
【００４３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４４】
１０  像形成システム
２１  指示入力部
２２  ＮＩＣ
２３  ＭＦＰ制御部
２４  第１の画像形成装置
２５  原稿読取部
３０  拡張ユニット
３２  第２の画像形成装置
３３  リーダライタ
４１  制御装置
４２  記憶部
４３  描画部
４４  シリアル通信部
４５  ＮＩＣ
５１  入出力端子部
５２  回転メディアリードライトユニット
６１  デバイスドライバ
６２  メディアＲＷ部
６３  シャッタ駆動部
６４  シャッタ位置検出センサ
６５  シャッタ制御手段
６６  回転メディア駆動部
６７  回転メディアＲＷ部
７０  シャッタ
７１  回転軸
【図１】
2013186924.tif 000003
【図２】
2013186924.tif 000004
【図３】
2013186924.tif 000005
【図４】
2013186924.tif 000006
【図５】
2013186924.tif 000007
【図６】
2013186924.tif 000008
【図７】
2013186924.tif 000009
【図８】
2013186924.tif 000010
【図９】
2013186924.tif 000011
【図１０】
2013186924.tif 000012
【図１１】
2013186924.tif 000013